(57)【特許請求の範囲】
【請求項１】
インキ吸収体を収容した筒状の本体の両端開口にペン芯を有する両頭筆記具において、前記本体の両端開口のうち前記インキ吸収体を本体内に挿入可能とする一端開口に、先端面が開口し後端面中央に小孔を有する筒状のホルダーを嵌着して、該ホルダーの後端面にて前記インキ吸収体の一端面を当接支持し、前記ホルダーの先端開口にペン芯を保持するペン芯ホルダーを着脱自在に嵌着したことを特徴とする両頭筆記具。
【請求項２】
前記ホルダーの内側面に前記小孔に続くテーパー部を設けたことを特徴とする請求項１に記載の両頭筆記具。
【発明の詳細な説明】
【０００１】
【発明の属する技術分野】
本発明は、本体の両端開口にペン芯を有する両頭筆記具に関するもので、特にインキ補充を可能とした両頭筆記具に関するものである。
【０００２】
【従来の技術】
本体の両端開口にペン芯を有する両頭筆記具は古くから知られており、この種の両頭筆記具は通常、本体の一端開口の直径を本体内に収容されるインキ吸収体の直径よりも大きくして、その一端開口からインキ吸収体を本体内に挿入できるようにしてあり、本体内にインキ吸収体を挿入した後、前記一端開口にペン芯ホルダーを嵌着することによりインキ吸収体を本体内に収容してある。
【０００３】
【発明が解決しようとする課題】
そして、前記したような両頭筆記具には本体内に収容されたインキ吸収体にインキを補充できるようにしたものがあり、例えば、実用新案登録第２６０５８０１号に開示されたものがある。この両頭筆記具は、本体の一端開口に着脱自在に嵌着されたペン芯ホルダーを取り外して、その一端開口から露呈する本体内のインキ吸収体の端面にインキを滴下してインキ補充するものであるが、本体の一端開口に着脱自在に嵌着されたペン芯ホルダーを取り外すと、インキ吸収体より直径が大きい本体の一端開口が開放されてしまうので、インキ補充時に本体を誤って落下したり、開放状態となっている本体の一端開口側を下向きにしてしまうと、本体内のインキ吸収体が前記一端開口から外部に抜け出てしまって手や衣服や周辺物をインキで汚してしまう恐れがある。
【０００４】
又、この両頭筆記具は本体内でのインキ吸収体のズレやガタツキを防止するために、インキ吸収体の外周面を本体内とペン芯ホルダーの内面に設けられた複数のリブに当接支持させているが、組み立て時やインキ補充後においてペン芯ホルダーを本体に取り付ける際、ペン芯ホルダーのリブがインキ吸収体に食い込んで、インキ吸収体が傷付いたりばらけてしまうことがあり、これが筆記不良の原因となることがある。
【０００５】
又、この両頭筆記具はインキ吸収体の外周面と本体の内周面との間に僅かな隙間があり、インキ補充時にその隙間に誤ってインキを滴下してしまうことがある。そして、インキ吸収体がプラスチックフィルム等の外皮に覆われたものであるとインキ吸収体は側面からインキを吸収できないので、前記したように隙間にインキを誤って滴下してしまうと、そのインキが隙間に溜まって本体内外の空気の流通を妨げてしまいインキ漏れの原因となることがある。
【０００６】
そこで、本発明はインキ補充を確実に行うことができてインキ漏れやインキ汚れを生じることがなく、又、ペン芯ホルダー取り付け時にインキ吸収体が傷付いたりばらけたりすることがなく、筆記不良を起こすことのないインキ補充可能な両頭筆記具を提供することを目的とする。
【０００７】
【課題を解決するための手段】
本発明は前記した課題を解決するために、インキ吸収体を収容した筒状の本体の両端開口にペン芯を有する両頭筆記具において、前記本体の両端開口のうち前記インキ吸収体を本体内に挿入可能とする一端開口に、先端面が開口し後端面中央に小孔を有する筒状のホルダーを嵌着して、該ホルダーの後端面にて前記インキ吸収体の一端面を当接支持し、前記ホルダーの先端開口にペン芯を保持するペン芯ホルダーを着脱自在に嵌着したことを特徴とする両頭筆記具である。
【０００８】
そして、前記ホルダーの内側面には前記小孔に続くテーパー部を設けるのが好ましい。
【０００９】
【発明の実施の形態】
以下、本発明の実施の形態を図面に基づいて説明する。本実施の形態は一端に細書用ペン芯１７、他端に極細書用ペン芯７を有する両頭筆記具である。１は両端が開口したプラスチック製の円筒状の本体で、一端開口から他端開口にかけて径が収束しており、本体１の両端開口のうち開口部２の直径は本体１内にインキ吸収体４を挿入できるようインキ吸収体４の直径より大きく、開口部３の直径はインキ吸収体４の直径よりも小さくなっている。そして、本体１の内部にはインキが含浸された円柱状のインキ吸収体４が開口部２より挿入されて収容されており、インキ吸収体４を開口部２より挿入した時、インキ吸収体４の一端は本体１の開口部３側内面に設けられた複数のリブ５に案内されて支持される。このリブ５はインキ吸収体４の外面に食い込むことがないように当接する突出量であり、インキ吸収体４が傷付いたり、ペン芯へのインキ供給を妨げることはない。ここで、インキ吸収体４はフェルトやポリエステル繊維等の中綿の外周をセロハンやプラスチックフィルム等の外皮で覆ったものである。
【００１０】
６は開口部３に着脱自在に嵌着されたプラスチック製の円筒状のペン芯ホルダーで、このペン芯ホルダー６には極細書用ペン芯７が保持されており、ペン芯ホルダー６を開口部３に嵌着した時、極細書用ペン芯７の後端が本体１内に収容されたインキ吸収体４に差し込まれ、これによりインキ吸収体４に含浸されたインキが極細書用ペン芯７に移行するようになっている。尚、極細書用ペン芯７は筆記線幅が約０．４ｍｍの丸芯であり、ポリアセタール樹脂やアクリル樹脂等からなる合成樹脂製ペン芯である。
【００１１】
前記したようにペン芯ホルダー６は開口部３に着脱自在に嵌着されるので、極細書用ペン芯７を保持したペン芯ホルダー６を替芯として別途用意しておけば、使用している極細書用ペン芯７のペン先が摩耗して筆記状態が悪くなった際には、その極細書用ペン芯７を保持したペン芯ホルダー６を開口部３から取り外して、替芯として用意された新しい極細書用ペン芯７を保持したペン芯ホルダー６を開口部３に取り付けることができる。
【００１２】
尚、本実施の形態では、ペン芯ホルダー６の外側面の先端近傍に環状の係合溝８を設け、本体１の開口部３側に着脱自在に嵌着される極細書用ペン芯７を覆うキャップ９の先端部に前記係合溝８に対応する形状の係合凸部１０を設けて、図２に示すようにキャップ９の係合凸部１０をペン芯ホルダー６の係合溝８に係合させた状態でキャップ９と本体１を反対方向に引っ張ることにより、ペン芯ホルダー６が開口部３から外れるものとなっている。これにより、インキが染み込んだ極細書用ペン芯７を保持したペン芯ホルダー６に直接手を触れずにペン芯ホルダー６を取り外すことができるので、手がインキにより汚れることはない。
【００１３】
又、ペン芯ホルダー６の外側面には、本体１の内外を連通状態とする溝１１を対向して設けてあるので、その溝１１により極細書用ペン芯７側における本体１内外の空気の置換は確実に行われる。
【００１４】
一方、本体１の開口部２にはプラスチック製のホルダー１２が嵌着されている。このホルダー１２は先端面が開口した円筒状のものであり、後端面１３の中央にはインキ吸収体４の直径よりも小さい直径の小孔１４が設けてある。このホルダー１２を開口部２に嵌着した時、ホルダー１２の後端面１３が本体１内に収容されたインキ吸収体４の端面にインキ吸収体４を押し曲げない程度の力で当接するものとしており、これにより、本体１内に収容されたインキ吸収体４の開口部３側は前記リブ５に、開口部２側はホルダー１２の後端面１３にそれぞれ支持されて、インキ吸収体４は本体１内でのズレやガタツキが防止される。このように、ホルダー１２を開口部２に嵌着する際、ホルダー１２の後端面１３がインキ吸収体４の端面に当接するものとしているので、インキ吸収体４が傷付いたりばらけることはない。
【００１５】
１６はホルダー１２の先端の開口部１５に着脱自在に嵌着されたプラスチック製の円筒状のペン芯ホルダーで、このペン芯ホルダー１６には細書用ペン芯１７が保持されており、ペン芯ホルダー１６を開口部１５に嵌着した時、細書用ペン芯１７の後端がホルダー１２の小孔１４を貫通して本体１内に収容されたインキ吸収体４に差し込まれ、これによりインキ吸収体４に含浸されたインキが細書用ペン芯１７に移行するようになっている。尚、細書用ペン芯１７は筆記線幅が約１．０ｍｍの丸芯であり、アクリル繊維やポリエステル繊維等からなる合成繊維製ペン芯である。
【００１６】
前記したようにペン芯ホルダー１６はホルダー１２の開口部１５に着脱自在に嵌着されるので、細書用ペン芯１７を保持したペン芯ホルダー１６を替芯として別途用意しておけば、使用している細書用ペン芯１７のペン先が摩耗して筆記状態が悪くなった際には、その細書用ペン芯１７を保持したペン芯ホルダー１６を開口部１５から取り外して、替芯として用意された新しい細書用ペン芯１７を保持したペン芯ホルダー１６を開口部１５に取り付けることができる。
【００１７】
そして、本体１の開口部２とホルダー１２の嵌着力は、ホルダー１２の開口部１５とペン芯ホルダー１６の嵌着力よりも強固なものとなっており、ペン芯ホルダー１６をホルダー１２の開口部１５から取り外す際に、ホルダー１２が本体１の開口部２から外れることのないようになっている。尚、本実施の形態では、ペン芯ホルダー１６の外側面の先端近傍に環状の係合溝１８を設け、本体１の開口部２側に着脱自在に嵌着される細書用ペン芯１７を覆うキャップ１９の先端部に前記係合溝１８に対応する形状の係合凸部２０を設けて、図３に示すようにキャップ１９の係合凸部２０をペン芯ホルダー１６の係合溝１８に係合させた状態でキャップ１９と本体１を反対方向に引っ張ることにより、ペン芯ホルダー１６がホルダー１２の開口部１５から外れるものとしている。これにより、インキが染み込んだ細書用ペン芯１７を保持したペン芯ホルダー１６に直接手を触れずにペン芯ホルダー１６を取り外すことができるので、手がインキにより汚れることはない。
【００１８】
又、ホルダー１２の内側面の後端近傍には小孔１４に続くテーパー部２１が設けてあり、細書用ペン芯１７を保持したペン芯ホルダー１６を開口部１５に取り付ける際、細書用ペン芯１７の後端はテーパー部２１により確実に小孔１４に案内されるので、細書用ペン芯１７の後端がホルダー１２の後端内面に引っ掛かって傷付いたり潰れてしまうことはない。
【００１９】
又、図４に示すようにホルダー１２の後端面１３には小孔１４に連通する凹状の溝２２を４５°間隔で８本設けてあり、ペン芯ホルダー１６の外側面にはホルダー１２の内外を連通させる溝２３を対向して設けてあるので、それら溝２２、２３により本体１の内外は連通状態となり、細書用ペン芯１７側における本体１内外の空気の置換は確実に行われる。
【００２０】
次に、インキ吸収体４にインキを補充する際には、図３に示すようにキャップ１９の係合凸部２０をペン芯ホルダー１６の係合溝１８に係合させてペン芯ホルダー１６をホルダー１２の開口部１５から取り外し、ペン芯ホルダー１６を取り外すと、図５に示すようにホルダー１２の後端面１３にある小孔１４からインキ吸収体４の端面が臨んでいるので、開口部１５を上向きにした状態で開口部１５から小孔１４の部分にインキを滴下することにより、インキはインキ吸収体４の端面に吸収される。この時、ホルダー１２の小孔１４の直径はインキ吸収体４の直径よりも小さいのでインキ吸収体４の端面にインキを確実に滴下することができ、又、ホルダー１２の内側面の後端近傍には小孔１４に続くテーパー部２１が設けてあるので、開口部１５から滴下したインキは小孔１４に案内されてインキ吸収体４の端面に確実に吸収される。
【００２１】
更に、ペン芯ホルダー１６を取り外した状態においてもホルダー１２の後端面１３がインキ吸収体４の端面を当接支持しており、インキ吸収体４はペン芯ホルダー１６を取り外す前と全く同じ状態で本体１内に収容されているので、インキ吸収体４が本体１の外部に抜け出たりすることはない。
【００２２】
そして、前記した要領でインキ吸収体４へのインキ補充が完了したら、再度ペン芯ホルダー１６をホルダー１２の開口部１５に嵌着すれば良い。尚、キャップ１９の係合凸部２０をペン芯ホルダー１６の係合溝１８に係合させてペン芯ホルダー１６を取り外した時、係合凸部２０と係合溝１８の係合状態はそのまま保たれるので、再度ペン芯ホルダー１６を開口部１５に取り付ける際には、キャップ１９を手で保持してペン芯ホルダー１６を開口部１５に嵌着することができる。よって、インキ補充完了後にペン芯ホルダー１６を取り付ける際には、インキが染み込んだ細書用ペン芯１７を保持するペン芯ホルダー１６に直接手を触れなくても良いので、手がインキにより汚れることはない。
【００２３】
以上が本発明の一実施の形態であるが、前記した実施の形態ではペン芯の種類を極細書用と細書用としていたが、その種類は細書用と太書用あるいは角芯と丸芯など特に限定されるものではなく、ペン芯の材質についても前記した実施の形態に限定されるものではない。又、前記した実施の形態ではペン芯ホルダー６、１６の着脱をキャップ９、１９を用いて行うものとしていたが、工具を用いたり直接手で行うなどその着脱方法は特に問わない。又、前記した実施の形態では極細書用ペン芯７を保持したペン芯ホルダー６を本体１の開口部３に着脱自在に嵌着するものとしていたが、本体１の開口部３に極細書用ペン芯７を直接保持させても良い。又、前記した実施の形態では、本体１、ホルダー１２、ペン芯ホルダー６、１６を円筒状としており、インキ吸収体４を円柱状としていたが、本体１、ホルダー１２、ペン芯ホルダー６、１６を角筒状としたり、インキ吸収体４を角柱状としても良く、その形状は特に問わない。
【００２４】
【発明の効果】
以上の構成による本発明の両頭筆記具は、インキ補充時にペン芯ホルダーを取り外してもホルダーの後端面がインキ吸収体の端面を当接支持しているので、インキ吸収体が本体の外部に抜け出ることはなく、よって、インキにより手や衣服、その他周辺物を汚してしまうことはない。
【００２５】
又、インキ補充時にはホルダーの小孔の部分にインキを滴下すれば、そのインキはインキ吸収体の端面に確実に吸収されるので、インキ吸収体の外周面にインキが垂れてインキ吸収体の外周面と本体内周面との隙間にインキが溜まることもなく、インキ漏れを起こすこともない。
【００２６】
又、ペン芯ホルダーの着脱は本体の一端開口に嵌着されたホルダーの開口部に対するもので、組み立て時やインキ補充後にペン芯ホルダーを取り付ける際にはペン芯ホルダーが本体内に収容されたインキ吸収体に直接触れることは全くないので、インキ吸収体が傷付いたりばらけたりすることはなく、筆記不良を起こすこともない。
【図面の簡単な説明】
【図１】本発明の一実施の形態を示す断面図。
【図２】本発明の一実施の形態のペン芯ホルダー６の着脱方法を示す断面図。
【図３】本発明の一実施の形態のペン芯ホルダー１６の着脱方法を示す断面図。
【図４】本発明の一実施の形態のホルダー１２の後端面１３を示す図。
【図５】本発明の一実施の形態のペン芯ホルダー１６を取り外した状態を示す一部拡大断面図。
【符号の説明】
１  本体
２  開口部
３  開口部
４  インキ吸収体
５  リブ
６  ペン芯ホルダー
７  極細書用ペン芯
８  係合溝
９  キャップ
１０  係合凸部
１１  溝
１２  ホルダー
１３  後端面
１４  小孔
１５  開口部
１６  ペン芯ホルダー
１７  細書用ペン芯
１８  係合溝
１９  キャップ
２０  係合凸部
２１  テーパー部
２２  溝
２３  溝
【図１】
0004516681.tif 000002
【図２】
0004516681.tif 000003
【図３】
0004516681.tif 000004
【図４】
0004516681.tif 000005
【図５】
0004516681.tif 000006